(57)【特許請求の範囲】
【請求項１】
厚紙，合成樹脂板等の可撓性と保形剛性とを具備する板材で形成された保持具が、少なくとも２列に、隣接して整列配置された複数の容器群の全頂面を覆いうる頂板部と、頂板部の周縁に連続する周辺部とで構成されており、
前記頂板部と周辺部との接続部位には、対応位置の容器のフランジ外縁の一部を弦方向に横切るスリットが形成されていると共に、
前記頂板部の中央寄りの帯域において、隣接する各２個の容器の各組のフランジ外縁間に形成される略Ｖ字状の間隙に対応する頂板部には、該隣接するフランジ外縁の一部の間隙幅より広幅の係止舌片がスリットにより区画形成されており、
頂板部と周辺部との接続部位のスリット間に内折線が形成され、
該内折線より周辺部外端縁側へ僅かに寄った位置に、該内折線と平行に、第２の内折線が設けられており、
頂板部と周辺部との接続部位に形成されているスリットが、容器のフランジの直径より僅かに短い長さを直径とする円弧形とされ、該スリットの両端近傍が前記接続部位の内折線に連続させられ、該両端間の中央域が、第２の内折線を越えた位置まで延設させられている、フランジを有する容器の保持具。
【発明の詳細な説明】
【０００１】
【発明の属する技術分野】
本発明は、ジャム，アイスクリーム，プリン等の収納された外向きフランジを有する容器を、３個以上を１群として複数列に整列させ、その１群または数群を一括して係脱自在に保持するところの、厚紙等で形成された頂板部とその側辺部とのみから構成されている保持具に関する。
【０００２】
【従来の技術】
厚紙等で形成された頂板部とその側辺部とのみからなる保持具としては、既に実開平４ー６２６６３号公報等に示されるものが知られているが、何れも１列に配列した容器群を保持するものであり、容器数が多い場合は、保持具が長くなり持ち運びが不便となる問題が存する。
【０００３】
また複数列に配列されたフランジ付き容器を保持する構造としては、容器のシール蓋片と保持具とを同一板材で形成し、容器の取り出しに際しては、該板材を容器間で切断しなければならず、内容物の種別を購入者の好みに合わせて組み合わせたり、保持されている容器中の１個のみを交換すること等が不可能であるという問題を有している。
【０００４】
【発明が解決しようとする課題】
各請求項の発明は、３個以上の容器を複数列に整列させて１群とし、その１群または数群を一括してフランジを利用して着脱自在に保持でき、持ち運びが便利であり、振動，異物との接触等による容器の脱落が生じ難く、保持されている容器の交換も可能で、構造が簡単であるにも拘らず保持力が強い保持具を提供することを課題としている。
【０００５】
【課題を解決するための手段】
前記課題を解決するため、請求項１の発明では、厚紙，合成樹脂板等の可撓性と、形状を保持しうる程度の剛性とを具備する板材で、保持具の主体部である頂板部と、その周縁に連続する周辺部とを構成した。
【０００６】
頂板部は、少なくとも２列に、隣接して整列配置された複数の容器の全頂面を覆いうる広さとし、該頂板部と周辺部との接続部位には、対応位置の容器のフランジの一部を掛け留め係止するスリットを形成した。
【０００７】
また前記頂板部の中央寄りの帯域において、隣接する２個の容器のフランジ間に形成される略Ｖ字状の間隙に対応する頂板部には、該隣接するフランジの一部を、各別に掛け留め係止する係止舌片をスリットにより区画形成して、頂板部とその周縁に連続する周辺部とのみにより保持板を構成した。
【０００８】
前記構成において、周辺部が下垂するよう折曲されることにより、スリットの周辺部側の切断端が、容器のフランジを下側から支承して頂板部裏面に押し付け、また頂板部の係止舌片が下方へ折曲されることにより、該舌片上面のスリット縁が隣接する容器の略Ｖ字状の間隙を形成している各フランジ部分を下側から支承して頂板部裏面に押し付け、容器を係止する。
【０００９】
しかも、容器の整列配置形状と頂板部の形状とにより、前記スリットと係止舌片との係止部位は、個々の容器のフランジに対し、周方向に間隔を存する複数箇所となり、容器の係止が強固となると共に、頂板部を形成している板材の可撓性により、前記係止は容易に解除できるので、係止されている容器の選択的な取り出し，交換等が容易であり、再係止される容器も、該板材の有する形状保持剛性により確実に保持される。
【００１０】
また、頂板部と周辺部との接続部位のスリット間に内折線を形成し、該内折線より周辺部外端縁へ僅かに寄った位置に、該内折線と平行に、第２の内折線を設けることとした。
【００１１】
第２の内折線の存在により、周辺部が頂板部に対し２重の内折線で下垂するよう折曲されるので、周辺部の下垂姿勢の保持能が高く、スリットによる容器フランジの係止状態が安定し、スプリングバックによる周辺部の上向き変位が良好に防止される。
【００１２】
更に、頂板部と周辺部との接続部位に形成されているスリットを、容器のフランジの直径より僅かに短い長さを直径とする円弧形とし、該スリットの両端近傍を、前記接続部位の内折線に連続させると共に、該両端間の中央域を、第２の内折線を越えた位置まで延設することとした。
【００１３】
このような構成により、図１７に縦断面として示した容器２０１のごとく、アルミ箔のラミネートフィルム等よりなるトップシール２０２の周縁部が、逆截頭円錐形状に絞縮されたスカート部２０３を形成している場合でも、この容器２０１を、図１６に示すごとく、確実に係止し、保持できる。
【００１４】
【発明の実施の形態】
図１および図２は、４個の容器を保持する保治具を示しており、厚紙製の保持具１は、略正方形の頂板部２と、その４周縁に一体に連続する周辺部３，４，５，６とで構成されている。
【００１５】
図示の保持具１の頂板部２は、図１，図２に示されるごとく、２列に整列配置された外向きフランジを有する容器Ａ，Ｂ，Ｃ，Ｄを１群として、その全頂面を覆いうる広さとされ、周辺部３，４，５，６はいずれも内折線７，８，９により、図２に示すごとく、頂板部２に対し垂直下方へ折曲されるよう連続させられている。
【００１６】
前記内折線７，８，９の列線内には、各容器のフランジ外縁ａ，ｂ，ｃ，ｄに対応する位置に、該フランジ外縁より僅かに容器中心に寄った部分Ｅ，Ｆ、すなわちフランジ外縁ａ，ｂ，ｃ，ｄの一部を弦方向に横切る部分をそれぞれ有するスリット１０ないし１７が形成され、フランジ外縁ａ，ｂ，ｃ，ｄの各一部を掛け留め係止できるようにされている。
【００１７】
また内折線７，８，９の位置には、周辺部３，４，５，６の外端縁側へ僅かに寄せて、内折線７，８，９と平行に、第２の内折線１８，１９，２０が形成されており、この第２の内折線の端部は、スリット２１により、前記スリット１０ないし１７に連続させられている。
【００１８】
また頂板部２の中央寄りの帯域において、隣接する各２個の容器ＡとＢ，ＢとＣ，ＣとＤ，ＤとＡの各組のフランジ間に形成される略Ｖ字状の間隙Ｇ，Ｈ，Ｉ，Ｊに対応する頂板部２には、各フランジ外縁ａないしｄの一部の間隙幅より広幅で、該フランジ外縁を各別に掛け留め係止する係止舌片２２，２３，２４，２５が、スリット２６，２７，２８，２９，３０，３１で区画形成されており、各係止舌片２２ないし２５は、前記略Ｖ字状の間隙Ｇ，Ｈ，Ｉ，Ｊの狭隘側で頂板部２に連続し、この部分に内折線３２，３３，３４，３５が形成されている。
【００１９】
前記スリット２６，２７，２８，２９は、容器のフランジ外縁ａ，ｂ，ｃ，ｄより僅かに容器中心へ寄った位置に円弧形に形成され、スリット３０，３１はそれぞれ対向するスリット２６と２８および２７と２９の法線方向に形成されている。
【００２０】
また前記内折線３２，３３，３４，３５は、既述のごとく略Ｖ字状の間隙Ｇ，Ｈ，Ｉ，Ｊの狭隘側に位置し、該部の間隙幅と概ね等長とされており、スリット２６，２７，２８，２９の両端は、略Ｌ字状に屈曲した部分３６，３７により内折線３２，３３，３４，３５に連続しており、この構造により、各係止舌片２２，２３，２４，２５の幅は、間隙Ｇ，Ｈ，Ｉ，Ｊの狭隘側の幅より広幅とされている。
【００２１】
図１および２に示す保治具により、フランジを有する容器を保持させるには、外向きのフランジを有する４個の同寸の容器Ａ，Ｂ，Ｃ，Ｄを１群として、各容器の中心位置が正四角形の各角部に位置するよう前後２列に整列配置し、上方から容器寸法に適合した形状に打抜き成形された保持具１の頂板部２を、容器群の全頂面を覆うよう重ね、４周の周辺部３，４，５，６を下方へ折曲すると同時に、係止舌片２２，２３，２４，２５を、その集合中心部分において下方へ押圧し、内折線３２，３３，３４，３５で折曲させ、スリット３０，３１で４分割されている各係止舌片２２，２３，２４，２５の先端部分をフランジ外縁ａ，ｂ，ｃ，ｄの下方側へ変位させる。
【００２２】
前記周辺部３，４，５，６の下方への折曲により、スリットの周辺部側の切断端面が、容器のフランジ下面で、フランジ外縁ａ，ｂ，ｃ，ｄの一部を弦方向に横切る位置を占め、頂板部２のスリット１０ないし１７に臨む下面との間でフランジ外縁ａ，ｂ，ｃ，ｄの一部を確実に係止する。
【００２３】
図１および２に示す保治具では、第２の内折線１８，１９，２０においても周辺部３，４，５，６の折曲が生起するので、周辺部３，４，５，６のスプリングバックが良好に防止される。
【００２４】
前記係止舌片２２，２３，２４，２５は、集合中心部分を下方へ押圧されることにより下方へ折曲され、その先端部分がフランジ外縁ａ，ｂ，ｃ，ｄの下方側へ変位させられると、各係止舌片２２，２３，２４，２５を区画形成しているスリット２６，２７，２８，２９が容器のフランジ外縁ａ，ｂ，ｃ，ｄより僅かに容器中心寄りに位置させられ、各係止舌片の幅が、隣接するフランジ外縁ａ，ｂ，ｃ，ｄの一部の間隙幅より広幅とされているので、各係止舌片側のスリットによる切断端面寄りの上面が、各フランジ外縁ａないしｄの一部の下面に当接し、頂板部２の下面との間で各フランジ外縁ａないしｄの一部を確実に係止する。
【００２５】
図１，図２に示す保治具では、係止舌片２２ないし２５のスリット２６ないし２９と内折線３２ないし３５とは略Ｌ字状に屈曲した部分３６，３７で連続させられているので、係止舌片２２ないし２５の先端部分とフランジ外縁ａないしｄの近傍のフランジとの係止が確実に実現されるが、スリット２６ないし２９の内折縁３２ないし３５側の円弧端を屈曲させることなく、直接内折線３２ないし３５の両端に連続させてもよい。
【００２６】
保持具１に係止され、保持されている個々の容器は、フランジ外縁ａ，ｂ，ｃ，ｄに近接したフランジ部分を円周方向に間隔を存した少なくとも３箇所以上で係止されるので、通常の保管，運搬等の使用態様における振動，衝撃等では係止が外れることなく確実に保持される。
【００２７】
個々の容器は、手指で把持して下方へ引張るのみで、周辺部３，４，５，６のスリット部分の撓曲および係止舌片２２，２３，２４，２５の撓曲により容易に取り外せるし、取り外し位置に、別の容器のフランジ部分を挿入すれば、該別の容器の保持具１への係止が簡単に再現できる。
【００２８】
図１，図２に示す保治具では、周辺部３，４，５，６の下垂長さが、短い同寸法のものとされているが、図３に示されるごとく、対称位置の周辺部３８，３９を他の対称位置の周辺部４０，４１より長い下垂長さのものとし、容器の保持安定性を高めてもよく、さらには周辺部４０，４１の下垂長さを周辺部３８，３９と同長としたり、いずれか１周辺部、隣接する２または３周辺部を長くしてもよく保持安定性のみでなく、印刷可能な面の増加により商品説明，広告等に使用することが可能となる。
【００２９】
図１，図２および図３に示す保治具では、４個の容器を１群として係止し、保持しているが、図４は、８個の容器を係止し、保持するようにした保治具であり、頂板部４２のＫないしＲで示す各位置が、２列に整列配置された容器に対応する位置であり、図４中符号ＹＡ，ＹＢで示す領域が図１，図２に示す保治具の各部構造と概ね同一であり、領域Ｘ，Ｙの係止舌片群４３と４４の中間部に係止舌片群４５を設け、図１，図２に示す保治具のスリット１３，１４の組またはスリット１０，１７の組の代わりとし、Ｍ，Ｎ，Ｏ，Ｐの各位置の容器の係止，保持力の不足を充足したものである。なお、符号Ｚは製造年月日等の視認用窓穴である。
【００３０】
図５は３個の容器を１群として係止，保持する保治具であり、頂板部４６の符号Ｓ，Ｔ，Ｕで示す各位置が正三角形平面内に整列配置された容器に対応する位置であり、頂板部４６の中央帯域には、隣接する３個の容器に対応して３区分された係止舌片４７，４８，４９が形成されている。
【００３１】
図５に示す保治具においても、周辺部とスリット，内折線，個々の係止舌片等の構造は、図１，図２に示す保治具のものと同一構造とされている。
【００３２】
図６は、６個の容器を正三角形平面内に整列配置し、略正三角形状の頂板部５０と周辺部５１，５２，５３との接続縁たる各内折線５４，５５，５６，５７の各列線内に、各３本のスリット５８，５９，６０を形成すると共に、互いに隣接する各３個の容器の組、すなわち容器Ｓ，Ｔ，Ｖの組、Ｔ，Ｕ，Ｗの組、Ｔ，Ｖ，Ｗの組、Ｖ，Ｗ，Ｘの組の各容器で囲まれる中心部分の頂板部５０に図５に示すものと同様の係止舌片群６１，６２，６３，６４を形成したものであり、各スリットおよび係止舌片の構造等は図５に示すものと同一である。
【００３３】
図６に示す保治具の場合、容器Ｓ，Ｕ，Ｘは２個のスリットと２枚の係止舌片で係止されるのに対し、容器Ｔ，Ｖ，Ｗは１個のスリットと６枚の係止舌片で係止されており、各容器の係止力は概ね均等とされている。
【００３４】
図７は、菱形平面内に４個の容器を整列配置した場合の保持具６５を示しており、図１の保治具に比し２組の係止舌片群６６，６７が設けられているが、スリット，個々の係止舌片等の構造は基本的に図１，図５，図６に示すものと同一である。
【００３５】
図８は、図７に示す保治具に比し、係止舌片６８，６９，７０，７１の構造のみが相違する保治具であり、個々の係止舌片が既述の各保治具のものに比し、長く形成されているが、基本構造，機能は既述の係止舌片と同一である。
【００３６】
図９は、図８に示す保治具の係止舌片に代え頂板部７２と、周辺部７３群との連続部に形成したスリット７４と同一構造のスリット７５，７６を容器Ａ１，Ｂ１，Ｃ１，Ｄ１で囲まれた頂板部７２の中央域に形成したものである。
【００３７】
スリット７５，７６は、容器Ｂ１とＤ１とのフランジ外縁ｂ１，ｄ１を弦方向に横切る部分を、スリット７４と同様に有すると共に、両スリット７５，７６の間にはスリット７７が形成され、該スリット７７の両端は、容器Ａ１とＣ１とのフランジ外縁ａ１，ｃ１より僅かに容器中心に寄った位置の弧状スリット７８，７９に連続させられている。
【００３８】
図中符号８０，８１は内折線であり、スリット７７で２分割された分割片８２，８３が頂板部７２の下面側へ折曲されることにより、分割片８２，８３のスリット７５，７６，７８，７９による切断端面と頂板部７２の裏面との間で各フランジ外縁を係止するもので、図８に示す係止舌片６８ないし７１の係止を一層強力としたものである。
【００３９】
図１０は、図８に示す保治具を、大径容器を保持できるように改良したものであり、頂板部８４の周辺部８５と８６の間および周辺部８７と８８との間に小型の周辺部８９，９０を形成し、この周辺部８９，９０のスリット９１，９２により、対応位置の容器Ｅ１，Ｆ１の係止力の向上を図ったものである。
【００４０】
図１１は、図１０に示す保治具よりも大径の容器を保持できるようにした保治具であり、菱形の頂板部９３の長径端部９４，９５は、容器保持に全く寄与しないので該部を切除した保治具であり、その他の構造は寸法以外は図７に示す保治具と概ね同一である。
【００４１】
図１２は、図１０に示す保治具を比較的小型，軽量の容器保持用に改良したものであって、菱形の頂板部９６の４隅角部にのみ、スリットを有する周辺部９７，９８，９９，１００を形成したものでスリットや係止舌片等の構造は、図１，図７等に示すものと同一構造である。
【００４２】
図１３は、正五角形平面内に５個の容器を整列配置した場合の保治具であり、各周辺部１０１とそのスリット１０２等の構造は、寸法，配置は異なるものの基本構造としては、図１，図７等に示すものと同一であり、ただ係止舌片１０３が容器の集合中心に対応する頂板部を５分割して形成されている点で図１，図７に示す保治具のものと相違している。
【００４３】
図１４は台形平面内に５個の容器を整列配置した場合の保治具であり、頂板部１０４は鋭角をなす隅角部を除いた略台形とされ、各辺部に周辺部が形成され、頂板部中央域の、容器間隙部に対応する位置に係止舌片が形成されており、周辺部のスリットおよび係止舌片等の基本構造は、図１，図６等に示されるものと同一である。
【００４４】
図１５は、本発明の一実施例を示し、頂板部と周辺部との接続部位に形成されたスリットが上述のものとは異なるものであり、頂板部２０４の周縁に周辺部２０５が連続されている構造は、上述の保持具と同一であり、頂板部２０４が、隣接して整列配置された容器群の全頂面を覆いうる広さのものであることも上述の保持具と同一である。
【００４５】
図１５に示す実施例では、スリット２０６が、図１７に示す容器２０１のフランジ２０７の直径より僅かに短い長さを直径とする円弧形とされている。
【００４６】
頂板部２０４は、内折線２０８で周辺部２０５に接続され、この内折線２０８より周辺部２０５の外端縁２０９側へ僅かに寄った位置に、第２の内折線２１０が設けられている。
【００４７】
前記スリット２０６の両端２１１，２１２の近傍が内折線２０８に連続させられ、両端２１１，２１２の間の中央域２１３は、第２の内折線２１０を越えた位置まで延設させられている。
【００４８】
図示例ではスリット２０６の両端２１１，２１２が内折線２０８に連続しているが、スリット２０６は、内折線２０８を僅かに越えて頂板部２０４側へ延設されていてもよい。
【００４９】
スリット２０６の中央域２１３は、図示例では、その中央に、第２の内折線２１０と平行する直線縁部２１４，２１５と、その間の矩形の突起部２１６を有しているが、スリット２０６としては、一連の円弧形であってもよい。
【００５０】
図１５に示す構造のスリット２０６を有する保持具は、既述のように、図１７に縦断面として示される容器２０１の係止，保持に極めて有効である。この容器２０１は、アルミ箔ラミネートフィルム等よりなる保形剛性が比較的大きいトップシール２０２を有しており、トップシール２０２は、周縁部を下方へ絞縮されて逆截頭円錐形状のスカート部２０３を有している。
【００５１】
このスカート部２０３は、下向きテーパ面たる逆円錐形状であるため、図１に示されるごときスリット１０ないし１７の形状では、係止が符号２１７で示すスカート部２０３の上端部近くで行われることとなり、逆円錐形状のため、軽い外力の作用でも外れる可能性が大きく、係止，保持が不安定となる恐れが存する。
【００５２】
これに対し、図１５に示すスリット２０６では、周辺部２０５のスリット切断端面２１８が、逆円錐形状のスカート部２０３の長い範囲の円弧面に沿って係合し、スリット２０６の中央域２１３では、スカート部２０３の比較的下方の絞縮されて小径となった部分に係合するので、スリット切断端面２１８による係止，保持が確実に行われる。
【００５３】
なお、スリット２０６の中央域２１３に図１５に示すごとく、直線縁部２１４，２１５と突起部２１６とが形成されていると、中央域２１３とスカート部２０３との係止抵抗が増大され、係止が確実となる。
【００５４】
図１８，図１９，図２０および図２１は、それぞれ、係止舌片の異なる実施例を示しており、図１８に示す各係止舌片は、側縁１０５，１０６を直線縁とした点で、図１に示す係止舌片と相違している。
【００５５】
図１９に示す係止舌片は、各係止舌片の先端部を、角形打抜き窓１０７に臨ませたものである。
【００５６】
図２０に示す係止舌片は、エ字状のスリット１０８，１０９，１１０により大形の係止舌片１１１，１１２と小形の係止舌片１１３，１１４に区分したものである。
【００５７】
図２１に示す係止舌片は、各係止舌片を内側へ折曲させる各内折線１１５を幅Ｗの広幅のものとし、図２２に示されるごとく内折線１１５の幅部分で、容器のフランジ外縁１１６を安定的に支承，係止できるようにしたものである。
【００５８】
各係止舌片の側縁は図１８に示す直線縁の側縁１０５，１０６や図１９に示す凹円弧側縁１１７，１１８に限定されるものではなく、波形縁，凸弧縁等任意の形状に選定できる。
【００５９】
【発明の効果】
請求項１の発明によると、外向きフランジを有する容器を、３個以上１群として複数列に整列配置し、１枚の保持具で確実に係止し、保持でき、佳良な外観で、持ち運びを便利にしうる効果がある。
【００６０】
個々の容器は、外向きフランジの外縁部分を、少なくとも３箇所以上の周方向に間隔を存した位置で、スリットと係止舌片とにより頂板部裏面に押圧，係止されるので、常態使用時の振動等では脱落が生じないよう確実に保持される効果を奏する。
【００６１】
しかも厚紙，合成樹脂板等の可撓性と、保形剛性とを具備する板材を用い、スリットと係止舌片とにより容器を係止するものであるから、保持されている個々の容器の着脱が容易であり、保持される容器の組み替え，交換等を自由に行いうる効果を有する。
【００６２】
また、第２の内折線により、周辺部がく字形に折曲された形状となりうるので、頂板部と周辺部との接続部位の内折線部分にスプリングバックが生じたとしても、周辺部のスリット端縁が非係止位置へ変位することを良好に防止し、容器の係止，保持を常に確実に実現できる効果を生ずる。
【００６３】
更に、円弧形のスリットの中央域が、第２の内折線を越えた位置まで延設されており、周辺部のスリット端縁が、垂直投影で曲率半径の大きい長い弧を画くこととなり、スカート部が逆截頭円錐形状に絞縮されているトップシールを有する容器のスカート部の傾斜外面に良くなじみ、係止と保持とが確実となる効果を奏する。
【図面の簡単な説明】
【図１】 ４個の容器を保持できる保治具の展開平面図である。
【図２】 図１に示されるものの使用態様の斜視図である。
【図３】 図１に示すものの変形例を示す展開平面図である。
【図４】 ８個の容器を保持できる保治具の一例の展開平面図である。
【図５】 ３個の容器を保持できる保治具の一例の展開平面図である。
【図６】 ６個の容器を保持できる保治具の一例の展開平面図である。
【図７】 ４個の容器を保持できる別の保治具の展開平面図である。
【図８】 ４個の容器を保持できる更に異なる保治具の展開平面図である。
【図９】 図８に示すものの変形例の展開平面図である。
【図１０】 ４個の容器を保持できる他の保治具の展開平面図である。
【図１１】 ４個の容器を保持できる別の保治具の展開平面図である。
【図１２】 ４個の容器を保持できる異なる保治具の展開平面図である。
【図１３】 ５個の容器を保持できる保治具の展開平面図である。
【図１４】 ５個の容器を保持できる別の保治具の展開平面図である。
【図１５】 本発明の一実施例を適用した保持具の部分平面図である。
【図１６】 図１５に示す実施例の使用態様を示す保持具の部分断面斜視図であ
る。
【図１７】 図１５に示す保持具が適用される容器の一例の縦断面図である。
【図１８】 係止舌片の実施の一例の略示平面図である。
【図１９】 係止舌片の他の実施例の略示平面図である。
【図２０】 係止舌片の別の実施例の略示平面図である。
【図２１】 係止舌片の更に別の実施例の略示平面図である。
【図２２】 図２１に示すものの使用状態を示す略示縦断面図である。
【符号の説明】
１ 保持具
２，２０４ 頂板部
３〜６，２０５ 周辺部
１０〜１７，２０６ スリット
７，８，９，２０８ 内折線
１８，１９，２０，２１０ 第２の内折線
２２〜２５ 係止舌片
２６〜３１ スリット
Ａ〜Ｄ 容器
ａ〜ｄ フランジ外縁
Ｇ〜Ｊ 間隙
【図１】
0003815751.tif 000002
【図２】
0003815751.tif 000003
【図３】
0003815751.tif 000004
【図４】
0003815751.tif 000005
【図５】
0003815751.tif 000006
【図６】
0003815751.tif 000007
【図７】
0003815751.tif 000008
【図８】
0003815751.tif 000009
【図９】
0003815751.tif 000010
【図１０】
0003815751.tif 000011
【図１１】
0003815751.tif 000012
【図１２】
0003815751.tif 000013
【図１３】
0003815751.tif 000014
【図１４】
0003815751.tif 000015
【図１５】
0003815751.tif 000016
【図１６】
0003815751.tif 000017
【図１７】
0003815751.tif 000018
【図１８】
0003815751.tif 000019
【図１９】
0003815751.tif 000020
【図２０】
0003815751.tif 000021
【図２１】
0003815751.tif 000022
【図２２】
0003815751.tif 000023